(57)【要約】【課題】高いフィット性及びクッション性によって良好な装着感が発現できると共に、着用時の蒸れを低減することができる吸収性物品を提供すること。【解決手段】本発明の吸収性物品１は、吸収性コア４０を備え、前方区域Ａ及び後方区域Ｃを有している。吸収性コア４０は、前方区域Ａ側に位置する第一領域４０Ｆと後方区域Ｃ側に位置する第三領域４０Ｒとの間に第二領域４０Ｍを有し、該第二領域４０Ｍ及び該第三領域４０Ｒに、該第一領域４０Ｆ側における坪量よりも、坪量の多い中間高坪量部４１及び後方高坪量部４４をそれぞれ備えている。中間高坪量部４１と後方高坪量部４４とは、これら両高坪量部間に位置する高坪量部間隔領域４５を介して互いに離間している。中間高坪量部４１及び後方高坪量部４４の少なくとも一方が、非肌側シート３側に突出している。【選択図】図１
2019024947.tif 000002
【特許請求の範囲】
【請求項１】
肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、
前記吸収性コアは、前記前方区域側に位置する第一領域と前記後方区域側に位置する第三領域との間に第二領域を有し、該第二領域及び該第三領域に、該第一領域側における坪量よりも、坪量の多い中間高坪量部及び後方高坪量部をそれぞれ備えており、
前記中間高坪量部と前記後方高坪量部とは、これら両高坪量部間に位置する高坪量部間隔領域を介して互いに離間しており、
前記中間高坪量部及び前記後方高坪量部の少なくとも一方が、前記非肌側シート側に突出している、吸収性物品。
【請求項２】
前記高坪量部間隔領域に、該高坪量部間隔領域内の他の部分より坪量が低く、前記横方向に延在する溝部を有している、請求項１に記載の吸収性物品。
【請求項３】
前記溝部は、前記中間高坪量部及び前記後方高坪量部の少なくとも一方に接している、請求項２に記載の吸収性物品。
【請求項４】
前記中間高坪量部が、前記非肌側シート側に突出している、請求項１〜３の何れか１項に記載の吸収性物品。
【請求項５】
前記後方高坪量部が、前記非肌側シート側に突出している、請求項１〜３の何れか１項に記載の吸収性物品。
【請求項６】
前記中間高坪量部及び前記後方高坪量部の何れもが、前記非肌側シート側に突出している、請求項１〜３の何れか１項に記載の吸収性物品。
【請求項７】
前記肌側シートは、肌対向面側に突出した凸部を複数有している、請求項１〜６の何れか１項に記載の吸収性物品。
【発明の詳細な説明】
【技術分野】
【０００１】
本発明は、生理用ナプキン、失禁パッド等の吸収性物品に関する。
【背景技術】
【０００２】
身体へのフィット性の向上や液漏れ防止の観点から、生理用ナプキン等の吸収性物品について、該吸収性物品の吸収性コアの中央部分に坪量の大きい高坪量部が設けられたものが提案されている。例えば、本出願人は、先に、吸収性コアの排泄部対向部における幅方向の中央部、及び後方部における幅方向の中央部のそれぞれに、吸収性コアの周辺領域における厚みよりも厚い部分を有している、吸収性物品を提案している（特許文献１）。また、本出願人は、先に、吸収性コアの排泄部対向部及び後方部のそれぞれにおいて、幅方向の中央部に配された領域に、厚みの厚い肉厚部を有している、吸収性物品を提案している（特許文献２）。特許文献１又は２に記載の吸収性物品は、厚みの厚い２つの高坪量部が、前後方向に離間して配されていることが図示されている。
【０００３】
また、本出願人は、先に、排泄部対向部の幅方向中央側に、その他の部分より厚みが大きい領域を有している、吸収性物品を提案している（特許文献３）。特許文献３に記載の吸収性物品は、前記厚みの大きい領域が非肌側シート側に突出している。
【先行技術文献】
【特許文献】
【０００４】
【特許文献１】特開２０１５−０９７７１５号公報
【特許文献２】特開２０１５−０９７７１６号公報
【特許文献３】特開２０１６−０８６８７２号公報
【発明の概要】
【発明が解決しようとする課題】
【０００５】
特許文献１〜３に記載の吸収性物品は、高坪量部を有するため、良好なフィット性が奏されるが、吸収性能の高い高坪量部やその周辺で生じ得る蒸れについては改善の余地があった。
【０００６】
したがって本発明は、前述した従来技術が有する欠点を解消し得る吸収性物品を提供することにある。
【課題を解決するための手段】
【０００７】
本発明は、肌側シートと、非肌側シートと、これら両シート間に介在された吸収性コアとを備え、着用者の前後方向に対応する縦方向と該縦方向に直交する横方向とを有し、前方区域及び後方区域を有する吸収性物品であって、前記吸収性コアは、前記前方区域側に位置する第一領域と前記後方区域側に位置する第三領域との間に第二領域を有し、該第二領域及び該第三領域に、該第一領域側における坪量よりも、坪量の多い中間高坪量部及び後方高坪量部をそれぞれ備えており、前記中間高坪量部と前記後方高坪量部とは、これら両高坪量部間に位置する高坪量部間隔領域を介して互いに離間しており、前記中間高坪量部及び前記後方高坪量部の少なくとも一方が、前記非肌側シート側に突出している、吸収性物品を提供するものである。
【発明の効果】
【０００８】
本発明によれば、高いフィット性及びクッション性によって良好な装着感が発現できると共に、着用時の蒸れを低減することができる。
【図面の簡単な説明】
【０００９】
【図１】図１は、本発明の吸収性物品の好ましい一実施形態である生理用ナプキンを示す平面図である。
【図２】図２は、図１に示す生理用ナプキンの吸収性コアにおける非肌対向面側の斜視図である。
【図３】図３（ａ）は、図１のＩＩＩ−ＩＩＩ線断面を模式的に示す断面図であり、図３（ｂ）及び（ｃ）は、本発明に係る吸収性コアの他の実施形態の図３（ａ）相当図である。
【図４】図４は、図１のＩ−Ｉ線断面を模式的に示す断面図である。
【図５】図５は、図１のＩＩ−ＩＩ線断面を模式的に示す断面図である。
【図６】図６は、図２に示す吸収性コアにおける非肌対向面側を模式的に示す平面図である。
【図７】図７（ａ）、（ｂ）は、図１に示す生理用ナプキンの備える吸収性コアの製造工程を説明する説明図である。
【図８】図８は、肌側シートにおけるエンボス部の形状及び配置パターンを示す平面図である。
【図９】図９は、図８に示すＷ−Ｗ線断面を模式的に示す断面図である。
【図１０】図１０は、図８に示すＸＩ−ＸＩ線断面を模式的に示す断面図である。
【図１１】図１１は、図８に示すＸＩＩ−ＸＩＩ線断面を模式的に示す断面図である。
【発明を実施するための形態】
【００１０】
以下、本発明の吸収性物品を、その好ましい一実施形態である生理用ナプキン１（以下、「ナプキン１」とも言う。）に基づき図面を参照して説明する。図１には、本実施形態のナプキン１を肌側シート側から視た平面図が示されている。本実施形態のナプキン１は、図１に示すように、肌対向面を形成する肌側シート２と、非肌対向面を形成する非肌側シート３と、これら両シート２，３間に介在された吸収性コア４０とを備え、着用者の前後方向に対応する縦方向Ｘと該縦方向Ｘに直交する横方向Ｙとを有し、前方区域Ａ及び後方区域Ｃを有する。ナプキン１は、図１に示すように、着用者の液排泄部に対向配置される中間区域Ｂと、該中間区域Ｂの縦方向Ｘの前後に配置された前方区域Ａ及び後方区域Ｃとに区分されている。
【００１１】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬに対して左右対称に形成されている。縦方向Ｘとは、中心線ＣＬに平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１２】
ナプキン１は、図１に示すように、着用時に着用者の液排泄部（膣口等）に対向配置される部分を含む中間区域Ｂと、該中間区域Ｂよりも着用者の腹側（前側）寄りに配される前方区域Ａと、該中間区域Ｂよりも着用者の背側（後側）寄りに配される後方区域Ｃとを有している。即ち、ナプキン１は、縦方向Ｘに、前方区域Ａ、中間区域Ｂ及び後方区域Ｃの順番で区分される。
【００１３】
尚、本発明の吸収性物品において、中間区域Ｂとは、本実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
本実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４０と、該吸収性コア４０を包むコアラップシート（不図示）とから構成されている。
【００１５】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
ナプキン１では、一対のサイドシート５，５は、それぞれ、図１に示すように、波形状の接合部６にて肌側シート２に接合されている。接合部６の横方向Ｙ外側端よりも内方に、サイドシート５と肌側シート２とが接合されていない空間部が形成され、該空間部に横方向Ｙの中央から外方へ流れる経血等の体液を収容することができ、体液の漏れをより抑制することができる。
【００１７】
ナプキン１では、サイドフラップ部１Ｓは、図１に示すように、中間区域Ｂにおいて横方向Ｙの外方に向かって大きく張り出しており、これによりナプキン１は、その縦方向Ｘに沿う左右両側に、一対のウイング部１Ｗ，１Ｗを備えるようになる。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１８】
ナプキン１では、図１に示すように、肌側シート２と吸収性コア４０とが圧搾一体化され、肌側シート２の肌対向面に、肌側シート２及び吸収体４が非肌側シート３側に向かって一体的に凹陥してなる線状圧搾溝７が形成されている。ナプキン１では、線状圧搾溝７は、図１に示すように、吸収体４の前方区域Ａ及び後方区域Ｃそれぞれに横方向Ｙに延びる横圧搾溝７１と、吸収体４の中間区域Ｂの縦方向Ｘに沿う両側部に縦方向Ｘに延びる縦圧搾溝７３とを有しており、全体として環状の全周溝となっている。尚、線状圧搾溝７は、線状に延びていれば、溝の底部の厚みが一定であってもよく、溝の底部の厚みが一定でなくてもよい。線状圧搾溝７は、肌側シート２及び吸収体４に関して、構成部材である各々の繊維の密度が、該線状圧搾溝７の周囲部の密度よりも高くなっている。リング状の全周溝に形成された線状圧搾溝７は、吸収体４の平面方向への体液の拡散をより抑制し、ナプキン１の周囲から液漏れをより抑制することができる。
【００１９】
ナプキン１では、吸収体４を構成する吸収性コア４０は、図２に示すように、縦方向Ｘの前方区域Ａ側に位置する第一領域４０Ｆ及び後方区域Ｃ側に位置する第三領域４０Ｒを有し、第一領域４０Ｆと第三領域４０Ｒとの間に第二領域４０Ｍを有している。本実施形態のナプキン１では、吸収性コア４０の第二領域４０Ｍは、中間区域Ｂに配置されている。以下、吸収性コア４０において、縦方向Ｘにおける第一領域４０Ｆ側を前側、第三領域４０Ｒ側を後側ともいう。
ナプキン１のように、横方向Ｙ両外側に一対のウイング部１Ｗを備える場合には、各ウイング部１Ｗにおける縦方向Ｘに間隔を空けて配されたウイング部１Ｗの付け根どうし間に第二領域４０Ｍが存在している。
【００２０】
吸収性コア４０は、第二領域４０Ｍ及び第三領域４０Ｒに、第一領域４０Ｆ側における坪量よりも、坪量の多い中間高坪量部４１及び後方高坪量部４４をそれぞれ備えている。
本実施形態における中間高坪量部４１は、吸収性コア４０の縦方向Ｘに長い縦長形状を有する中央中間高坪量部４１Ｃと、中央中間高坪量部４１Ｃの縦方向Ｘに沿う両側縁それぞれから横方向Ｙ外方に延出して吸収性コア４０の縦方向Ｘに沿う両側縁にまで及ぶ側方中間高坪量部４１Ｓ，４１Ｓとを有している。中央中間高坪量部４１Ｃは、中間区域Ｂのみに形成されていても良く、図２に示すように、中間区域Ｂから後方区域Ｃの一部に亘って延在していても良い。また、一対の側方中間高坪量部４１Ｓ，４１Ｓが、中間区域Ｂ内に形成されている。中間区域Ｂから後方区域Ｃの一部に亘って延在する中央中間高坪量部４１Ｃ及び側方中間高坪量部４１Ｓは、第一領域４０Ｆ側における坪量よりも坪量が多い。中央中間高坪量部４１Ｃ及び一対の側方中間高坪量部４１Ｓ，４１Ｓを有する中間高坪量部４１は、図２に示すように、横方向Ｙの中央部における縦方向Ｘの長さが、該中間高坪量部４１の側縁４２ｓの縦方向Ｘの長さよりも長く形成されている。
本実施形態における後方高坪量部４４は、吸収性コア４０の縦方向Ｘに長い縦長形状を有している。後方高坪量部４４は、図２に示すように、第三領域４０Ｒに比して、吸収性コア４０の縦方向Ｘの長さが短く、該後方高坪量部４４の後端４４Ｒが、縦方向Ｘにおける第三領域４０Ｒの後端Ｒ１よりも縦方向Ｘの内方に位置している。後方高坪量部４４は、その後端４４Ｒが、第三領域４０Ｒの後端Ｒ１にまで及んでいても良い。後方高坪量部４４は、図２に示すように、吸収性コア４０に比して横方向Ｙの長さが短く、該後方高坪量部４４の両側縁４４ｓ，４４ｓがそれぞれ、吸収性コア４０の両側縁４０ｓ，４０ｓよりも横方向Ｙの内方に位置している。後方高坪量部４４は、第一領域４０Ｆ側における坪量よりも坪量が多い。
ここで、第一領域４０Ｆ側における坪量とは、本実施形態のように、第一領域４０Ｆが、溝部４３を有している場合、該溝部４３を除いた部分の坪量を意味する。溝部４３は、後述する高坪量部４１，４４以外の部分に形成された溝部であり、本実施形態においては、縦方向Ｘに延びる縦溝部４３Ｘと、横方向Ｙに延びる横溝部４３Ｙとが形成されている。本実施形態において第一領域４０Ｆ側における坪量は、第一領域４０Ｆ内の小吸収部４６における坪量である。第一領域４０Ｆ内において、溝部４３は、小吸収部４６よりも低坪量である。
【００２１】
本実施形態のナプキン１において第二領域４０Ｍの中間高坪量部４１及び第三領域４０Ｒの後方高坪量部４４は何れも、図２に示すように、後述する溝部４１ｄ，４４ｄを除き、第二領域４０Ｍの前方に位置する第一領域４０Ｆにおける吸収性コア４０の厚みよりも厚みが厚くなっている。ナプキン１における吸収性コア４０は、ナプキン１の縦方向Ｘと同方向に長い形状を有する。したがって、吸収性コア４０の縦方向は、ナプキン１の縦方向Ｘと同方向であり、吸収性コア４０の横方向は、ナプキン１の横方向Ｙと同方向である。
【００２２】
ナプキン１において、中間高坪量部４１及び後方高坪量部４４は、吸収性コア４０における第一領域４０Ｆの坪量よりも坪量が多い。中間高坪量部４１及び後方高坪量部４４のそれぞれの厚み及び坪量と比較する、第一領域４０Ｆの厚み及び坪量は、第一領域４０Ｆに溝部４３が形成されている場合には、第一領域４０Ｆにおける溝部４３が存在しない部分における厚み及び坪量を意味する。本実施形態において、第一領域４０Ｆにおける溝部４３が存在しない部分は、該第一領域４０Ｆ内の小吸収部４６である。本実施形態のナプキン１の吸収性コア４０は、コア材料の坪量に差を設けて厚み差を設けてあるため、吸収性コア４０全体としてより柔軟である。
【００２３】
本実施形態の吸収性コア４０における中間高坪量部４１は、厚みの薄い中間溝部４１ｄを有しており、後方高坪量部４４は、厚みの薄い後方溝部４４ｄを有している。ここで「厚みの薄い中間溝部４１ｄ」とは、厚み方向Ｚに薄くても厚みを有する有底である場合と、吸収性コアの構成材料を全く存在せずに吸収性コアを貫通している場合の双方を含んでおり、中間高坪量部４１における他の部位よりも厚みが薄くなっている部位のことを意味する。また、「厚みの薄い後方溝部４４ｄ」とは、厚み方向Ｚに薄くても厚みを有する有底である場合と、吸収性コアの構成材料を全く存在せずに吸収性コアを貫通している場合の双方を含んでおり、後方高坪量部４４における他の部位よりも厚みが薄くなっている部位のことを意味する。ナプキン１では、中間溝部４１ｄ及び後方溝部４４ｄは、その底部の坪量が、第一領域４０Ｆにおける小吸収部４６の坪量よりも低くなっている。
【００２４】
本実施形態の吸収性コア４０の中間高坪量部４１は、図２に示すように、相対的に坪量が低い中間溝部４１ｄと相対的に坪量が高く中間溝部４１ｄで囲まれた複数の中間小吸収部４１ｋとを有するブロック構造が、縦方向Ｘに複数配されたブロック領域を有している。具体的には、中間高坪量部４１においては、中間溝部４１ｄによって区分された中間小吸収部４１ｋが、吸収性コア４０の縦方向Ｘに沿って５個並んでおり、吸収性コア４０の横方向Ｙに沿って中間小吸収部４１ｋが２個並んでおり、合計１０個の中間小吸収部４１ｋが形成されている。
中間溝部４１ｄは、中間高坪量部４１の輪郭に沿って延びる外周中間溝部４１ｄａを有している。中間溝部４１ｄは、吸収性コア４０の横方向Ｙに延びる横中間溝部４１ｄｙと、吸収性コア４０の縦方向Ｘに延びる縦中間溝部４１ｄｘとを有している。縦中間溝部４１ｄｘは、縦方向Ｘにおいて、第一領域４０Ｆ及び後述する高坪量部間隔領域４５における縦溝部４３Ｘと、後方高坪量部４４の縦後方溝部４４ｄｘと、吸収性コア４０の後端にまで延びる縦溝部４３Ｘと共に、縦方向Ｘにおける吸収性コア４０の全長に亘って連続する一直線の溝を形成している。中間溝部４１ｄは、横方向Ｙに延びる横中間溝部４１ｄｙとして、吸収性コア４０の縦方向Ｘに沿う一方の側縁４０ｓから他方の側縁４０ｓまで及ぶものと、中間高坪量部４１以外の部分において横方向Ｙに延びる横溝部４３Ｙと連続して一直線上に形成されているものとを有している。尚、縦中間溝部４１ｄｘ、及び横中間溝部４１ｄｙを纏めて中間溝部４１ｄともいう。
【００２５】
本実施形態の吸収性コア４０の後方高坪量部４４は、図２に示すように、相対的に坪量が低い後方溝部４４ｄと相対的に坪量が高く後方溝部４４ｄで囲まれた複数の後方小吸収部４４ｋとを有するブロック構造が、縦方向Ｘに複数配されたブロック領域を有している。具体的には、後方高坪量部４４においては、後方溝部４４ｄによって区分された後方小吸収部４４ｋが、吸収性コア４０の縦方向Ｘに沿って２個並んでおり、吸収性コア４０の横方向Ｙに沿って後方小吸収部４４ｋが２個並んでおり、合計４個の後方小吸収部４４ｋが形成されている。
後方溝部４４ｄは、後方高坪量部４４の輪郭に沿って延びる外周後方溝部４４ｄａを有している。後方溝部４４ｄは、吸収性コア４０の横方向Ｙに延びる横後方溝部４４ｄｙと、吸収性コア４０の縦方向Ｘに延びる縦後方溝部４４ｄｘとを有している。横後方溝部４４ｄｙは、吸収性コア４０の第三領域４０Ｒにおける後方高坪量部４４以外の部分に配された横方向Ｙに延びる横溝部４３Ｙと連続して一直線上に形成されている。尚、縦後方溝部４４ｄｘ、及び横後方溝部４４ｄｙを纏めて後方溝部４４ｄともいう。
吸収性コア４０の中間溝部４１ｄ及び後方溝部４４ｄは、横溝部４３Ｙ及び縦溝部４３Ｘと同様に、非肌対向面側に開口している。
【００２６】
中間高坪量部４１と後方高坪量部４４とは、これら両高坪量部４１，４４間に位置する高坪量部間隔領域４５を介して互いに離間している。本実施形態における中間高坪量部４１と後方高坪量部４４とは、図２に示すように、吸収性コア４０の縦方向Ｘに離間しており、これら高坪量部４１，４４間には、高坪量部間隔領域４５が配されている。高坪量部間隔領域４５は、その坪量が中間高坪量部４１及び後方高坪量部４４に比して小さい領域であり、該高坪量部間隔領域４５の厚みも、中間高坪量部４１及び後方高坪量部４４に比して小さい。なお、本実施形態における中間高坪量部４１及び後方高坪量部４４は、前述したように、中間溝部４１ｄと後方溝部４４ｄとをそれぞれ有しているが、これら高坪量部４１，４４において、該高坪量部４１，４４を複数のブロック領域に分ける縦中間溝部４１ｄｘ，横中間溝部４１ｄｙ、縦後方溝部４４ｄｘ及び横後方溝部４４ｄｙは、高坪量部間隔領域４５に含まれない。
【００２７】
中間高坪量部４１及び後方高坪量部４４の少なくとも一方が、非肌側シート３側に突出している。本実施形態におけるナプキン１は、図３（ａ）に示すように、中間高坪量部４１及び後方高坪量部４４が非肌側シート３側、即ち非肌対向面側に突出しており、中間高坪量部４１は、中央中間高坪量部４１Ｃ及び側方中間高坪量部４１Ｓが非肌側シート３側に突出している。本実施形態のナプキン１は、中間高坪量部４１及び後方高坪量部４４の何れもが、非肌側シート３側に突出しているが、ナプキン（吸収性物品）は、中間高坪量部４１が非肌側シート３側に突出し、且つ後方高坪量部４４が肌側シート２側に突出した形態であっても良く〔図３（ｂ）参照〕、中間高坪量部４１が肌側シート２側に突出し、且つ後方高坪量部４４が非肌側シート３側に突出した形態であっても良い〔図３（ｃ）参照〕。
【００２８】
本発明における吸収性物品は、吸収性コア４０が、高坪量部間隔領域４５を介して互いに離間した中間高坪量部４１及び後方高坪量部４４を有し、更に、これら高坪量部４１，４４の少なくとも一方が、非肌側シート３側に突出している。このような吸収性物品は、非肌側シート３側に突出した中間高坪量部４１及び後方高坪量部４４の一方又は双方により、非肌側シート３と、吸収性コア４０との間に空間が生じるため、高いクッション性が奏され、装着感に優れる。また、多量の体液を吸収し得る高坪量部では、吸収した体液から蒸気が生じ易く、蒸れが起き易いが、本発明の吸収性物品は、非肌側シート３と吸収性コア４０との間の前記空間により、高坪量部における蒸気を効率良く逃すことができるため、蒸れが起き難い。以下、蒸れが起き難い効果を蒸れ抑制効果ともいう。
【００２９】
例えば、図３（ｂ）に示すように、中間高坪量部４１が非肌側シート３側に突出し、且つ後方高坪量部４４が肌側シート２側に突出した実施形態のナプキン１は、吸収性コア４０の縦方向Ｘにおける中間高坪量部４１の前後において、非肌側シート３と吸収性コア４０との間に空間Ｓ１，Ｓ２を有している。具体的には、第一領域４０Ｆの全域及び第三領域４０Ｒの中間高坪量部４１よりも後ろ側に、前記空間Ｓ１，Ｓ２を有している。ナプキン１は、吸収性コア４０が前記空間Ｓ１，Ｓ２において肌対向面側又は非肌対向面側に容易に撓ることができるため、良好なクッション性を奏することができる。
図３（ｂ）に示すナプキン１は、吸収性コア４０の縦方向Ｘにおける後方高坪量部４４の前後において、肌側シート２と吸収性コア４０との間に空間Ｓ３，Ｓ４を有している。また、中間高坪量部４１と後方高坪量部４４の間には、高坪量部間隔領域４５が配されているため、吸収性コア４０が撓んでも高坪量部間隔領域４５に空間Ｓ２が確実に確保される。このように、図３（ｂ）に示すナプキン１は、肌側シート２と吸収性コア４０との間、及び非肌側シート３と吸収性コア４０との間それぞれに、空間Ｓ１，Ｓ２，Ｓ３，Ｓ４を有するため、吸収性コア４０の肌対向面側及び非肌対向面側で、蒸気を効率良く逃すことができる。
更に、図３（ｂ）に示すナプキン１は、後方高坪量部４４が肌側シート２側に突出しているため、該後方高坪量部４４が着用者の液排泄部より背側（後側）の部分に良好にフィットすると共に、後方区域Ｃにおける液漏れの発生を効果的に抑制することができる。
【００３０】
また、図３（ｃ）に示すように、中間高坪量部４１が肌側シート２側に突出し、且つ後方高坪量部４４が非肌側シート３側に突出した実施形態のナプキン１は、吸収性コア４０の縦方向Ｘにおける後方高坪量部４４の前後において、非肌側シート３と吸収性コア４０との間に空間Ｓ５，Ｓ６を有している。具体的には、第一領域４０Ｆから第三領域４０Ｒの後方高坪量部４４までの領域及び第三領域４０Ｒの後方高坪量部４４よりも後側に、前記空間Ｓ５，Ｓ６を有している。ナプキン１は、吸収性コア４０が前記空間Ｓ５，Ｓ６において肌対向面側又は非肌対向面側に容易に撓ることができ、良好なクッション性を奏することができる。
図３（ｃ）に示すナプキン１は、吸収性コア４０の縦方向Ｘにおける中間高坪量部４１の前後において、肌側シート２と吸収性コア４０との間に空間Ｓ７，Ｓ８を有している。また、中間高坪量部４１と後方高坪量部４４の間には、高坪量部間隔領域４５が配されているため、吸収性コア４０が撓んでも高坪量部間隔領域４５に空間Ｓ５が確実に確保される。このように、図３（ｃ）に示すナプキン１においても、肌側シート２と吸収性コア４０との間、及び非肌側シート３と吸収性コア４０との間それぞれに、空間Ｓ５，Ｓ６，Ｓ７，Ｓ８を有するため、吸収性コア４０の肌対向面側及び非肌対向面側で、蒸気を効率良く逃すことができる。このような蒸れ抑制効果を高める観点から、非肌側シートとしては、透湿性シートを用いることが好ましい。
更に、図３（ｃ）に示すナプキン１は、中間高坪量部４１が肌側シート２側に突出しているため、該中間高坪量部４１が着用者の液排泄部の部分に良好にフィットすると共に、中間区域Ｂにおける液漏れの発生を効果的に抑制することができる。
【００３１】
本実施形態のナプキン１は、図３（ａ）に示すように、中間高坪量部４１及び後方高坪量部４４の何れもが、非肌側シート３側に突出しているため、前方区域Ａの全域、高坪量部間隔領域４５、及び後方区域Ｃの後方高坪量部４４よりも後ろ側に、空間Ｓ１，Ｓ４５，Ｓ６を有しているため、該空間Ｓ１，Ｓ４５，Ｓ６において、吸収性コア４０が肌対向面側又は非肌対向面側に容易に撓ることができ、良好なクッション性を奏することができる。
本実施形態のナプキン１は、吸収性コア４０の縦方向Ｘにおける中間高坪量部４１及び後方高坪量部４４の前後それぞれに前記空間Ｓ１，Ｓ４５，Ｓ６を有している。また、中間高坪量部４１と後方高坪量部４４の間には、高坪量部間隔領域４５が配されているため、高坪量部間隔領域４５の空間Ｓ４５が確実に確保される。このため、高坪量部４１，４４内で発生した蒸気をより一層効率良く逃すことができる。
更に、本実施形態のナプキン１は、図３（ａ）に示すように、肌側シート２側が略平坦となり、肌側シート２と吸収性コア４０との密着性が上がるため、肌側シート２から吸収性コア４０へ体液が移行する移行性が高く、体液を素早く吸収することができる。
【００３２】
吸収性コア４０を容易に変形させ、吸収性コア４０の柔軟性及びフィット性をより向上させる観点から、吸収性コア４０は、高坪量部間隔領域４５に、該高坪量部間隔領域４５内の他の部分に比して坪量が低く、横方向に延在する溝部４３Ｙを有していることが好ましい。また、斯かる構成により、高坪量部間隔領域４５において、非肌側シート３と吸収性コア４０との間の空間と、横溝部４３Ｙが連続して存在するため、空間領域が拡大すると共に、横溝部４３Ｙにより発生した蒸気を効率よく逃がすことで、前述の蒸れ抑制効果をより向上させることができる。本実施形態の吸収性コア４０は、図２に示すように、高坪量部間隔領域４５に横溝部４３Ｙを複数有しているが、横溝部４３Ｙが１本のみ有する場合も、前記柔軟性、フィット性及び蒸れ抑制効果を奏することができる。
【００３３】
高坪量部間隔領域４５における横溝部４３Ｙによる前記柔軟性、フィット性及び蒸れ抑制効果をより向上させる観点から、高坪量部間隔領域４５における横溝部４３Ｙは、中間高坪量部及び前記後方高坪量部の少なくとも一方に接していることが好ましい。斯かる構成により、高坪量部４１，４４で発生する蒸気を逃がす上述の効果をより向上させることができる。ここで、「中間高坪量部４１及び後方高坪量部４４の少なくとも一方に接している」とは、縦方向Ｘにおいて、中間高坪量部４１及び後方高坪量部４４の少なくとも一方と、横溝部４３Ｙとが重なることを意味する。また、「縦方向Ｘにおいて重なる」とは、縦方向Ｘにおいて、中間高坪量部４１の外周縁の一部と横溝部４３Ｙの外周縁の一部、又は、後方高坪量部４４の外周縁の一部と横溝部４３Ｙの外周縁の一部とが重なることを包含する。本実施形態の吸収性コア４０の高坪量部間隔領域４５において、最も後側に位置する横溝部４３Ｙは、縦方向Ｘにおいて後方高坪量部４４の前端部４４Ｆに沿っており、該前端部４４Ｆと隣接している。このように、高坪量部間隔領域４５において横方向Ｙに延在する溝部４３Ｙは、中間高坪量部４１又は後方高坪量部４４と接していることが好ましく、中間高坪量部４１及び後方高坪量部４４と接していることがより好ましい。
【００３４】
吸収性コア４０の中間高坪量部４１の前後に空間を生じさせ、また液の吸収性等を向上させる観点から、吸収性コア４０における中間高坪量部４１の厚みは、第一領域４０Ｆの厚みの、好ましくは１１０％以上３００％以下、より好ましくは１２０％以上２７０％以下である。また、中間高坪量部４１の厚みと第一領域４０Ｆの厚みとの厚みの差（前者−後者）は、好ましくは１．０ｍｍ以上１３．０ｍｍ以下、より好ましくは２．０ｍｍ以上７．０ｍｍ以下である。また、中間高坪量部４１の厚みは、好ましくは３．０ｍｍ以上１５．０ｍｍ以下、より好ましくは５．０ｍｍ以上１０．０ｍｍ以下である。
【００３５】
本実施形態における中間高坪量部４１は、中央中間高坪量部４１Ｃと、側方中間高坪量部４１Ｓ，４１Ｓとを有しているが、中央中間高坪量部４１Ｃ及び側方中間高坪量部４１Ｓの厚みは、上述した中間高坪量部４１の厚みの範囲であることが好ましい。また、中央中間高坪量部４１Ｃと側方中間高坪量部４１Ｓとは、同じ厚みであっても良く、それぞれ異なる厚みであっても良い。本実施形態の中間高坪量部４１は、中央中間高坪量部４１Ｃの厚みが、側方中間高坪量部４１Ｓに比して大きい（図４参照）。側方中間高坪量部４１Ｓの厚みは、中央中間高坪量部４１Ｃの厚みに対して、好ましくは５０％以上、より好ましくは５５％以上であり、また好ましくは１００％以下、より好ましくは９５％以下である。
【００３６】
後方高坪量部４４は、図５に示すように、非肌側シート３側に突出している。後方高坪量部４４の前後に空間を生じさせ、また吸収性コア４０の液の吸収性等を向上させる観点から、吸収性コア４０における後方高坪量部４４の厚みは、第一領域４０Ｆの厚みの、好ましくは１１０％以上２８０％以下、より好ましくは１２０％以上２００％以下である。また、後方高坪量部４４の厚みと第一領域４０Ｆの厚みとの厚みの差（前者−後者）は、好ましくは１．０ｍｍ以上１２．０ｍｍ以下、より好ましくは２．０ｍｍ以上６．０ｍｍ以下である。また、後方高坪量部４４の厚みは、好ましくは３．０ｍｍ以上１４．０ｍｍ以下、より好ましくは５．０ｍｍ以上９．０ｍｍ以下である。
【００３７】
なお、中間高坪量部４１及び後方高坪量部４４の全範囲において上記厚みの関係になっていることが好ましいが、中間高坪量部４１の厚み方向において、横方向Ｙ若しくは縦方向Ｘ又は、その両方向に漸次的な厚み増減が設けられているような場合においては、最も厚い部分において上記の関係となっていればよい。
【００３８】
第一領域４０Ｆの厚みは、後述する溝部４３のない部分において、好ましくは２．０ｍｍ以上７．０ｍｍ以下、より好ましくは３．０ｍｍ以上６．０ｍｍ以下である。ナプキン１では、第一領域４０Ｆの厚みは、後述する溝部４３が存在しない部分において、略均一に形成されていることが好ましいが、第一領域４０Ｆの横方向Ｙ又は縦方向Ｘに漸次的な厚みの増減が設けられているような場合においては、最も厚い部分において上記の関係となっていればよい。
また、第三領域４０Ｒの後方高坪量部４４以外の部分における厚みは、上記第一領域４０Ｆの厚みの範囲であることが好ましい。
中間高坪量部４１、後方高坪量部４４、第一領域４０Ｆ又は第三領域４０Ｒの後方高坪量部４４以外の部分等の各部の厚みは、以下の方法によって測定される。
【００３９】
＜吸収性コア４０の各部の厚みの測定方法＞
吸収性コアを水平な場所にシワや折れ曲がりがないように静置し、該吸収性コア４０から測定対象物である各部を切り出す。そして、切り出した測定対象物における３．５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が３．５ｃＮ／ｃｍ2となるように大きさを調整した平面視円形状又は正方形状のプレート（厚さ５ｍｍ程度の金属板）を配置して、厚みを測定する。吸収性コア４０における第一領域４０Ｆ等の厚みを測定する際には、後述する溝部４３を含まないように測定する。
【００４０】
ナプキン１では、吸収性コア４０における中間高坪量部４１の坪量は、中間区域Ｂにおける吸収性コアの液の吸収性等と装着感を向上させる観点から、好ましくは３００ｇ／ｍ2以上９００ｇ／ｍ2以下、より好ましくは４５０ｇ／ｍ2以上８００ｇ／ｍ2以下である。
また、吸収性コア４０における後方高坪量部４４の坪量は、好ましくは３００ｇ／ｍ2以上８５０ｇ／ｍ2以下、より好ましくは４００ｇ／ｍ2以上７００ｇ／ｍ2以下である。吸収性コア４０における第一領域４０Ｆの坪量は、好ましくは１００ｇ／ｍ2以上５００ｇ／ｍ2以下、より好ましくは１５０ｇ／ｍ2以上４００ｇ／ｍ2以下である。また、高坪量部間隔領域４５及び第三領域４０Ｒの後方高坪量部４４以外の部分の坪量は、第一領域４０Ｆの坪量の好ましい範囲と同じであることが好ましい。中間高坪量部４１、後方高坪量部４４、第一領域４０Ｆ、高坪量部間隔領域４５及び第三領域４０Ｒの後方高坪量部４４以外の部分の坪量は、上述した吸収性コア４０の各部の厚みの測定方法で説明したように切り出した対象測定物のサンプルの質量を、そのサンプルの肌対向面側の面の面積で除して求める。
【００４１】
中間区域Ｂにおける吸収性コアの液の吸収性等と装着感を向上させる観点から、中間高坪量部４１の縦方向Ｘの全長Ｌ２は、吸収性コア４０の縦方向Ｘの全長Ｌ１に対して、好ましくは２０％以上７０％以下、より好ましくは２５％以上５５％以下である。全長Ｌ１とは吸収性コア４０の縦方向Ｘにおける最も長い位置での距離を示し、全長Ｌ２とは中間高坪量部４１の縦方向Ｘにおける最も長い位置での距離を意味する（図６参照）。
また、後方区域Ｃにおける吸収性コアの液の吸収性等と装着感を向上させる観点から、後方高坪量部４４の縦方向Ｘの全長Ｌ４は、吸収性コア４０の縦方向Ｘの全長Ｌ１に対して、好ましくは３％以上２５％以下、より好ましくは５％以上２０％以下である。全長Ｌ４とは中間高坪量部４１の縦方向Ｘにおける最も長い位置での距離を意味する（図６参照）。
吸収性コア４０のクッション性及び蒸れ抑制効果をより向上させる観点から、高坪量部間隔領域４５の縦方向Ｘの全長Ｌ３は、吸収性コア４０の縦方向Ｘの全長Ｌ１に対して、好ましくは３％以上２５％以下、より好ましくは５％以上２０％以下である。高坪量部間隔領域４５の全長Ｌ３とは、図３（ａ）〜（ｃ）及び図６に示すように、縦方向Ｘにおける中間高坪量部４１と後方高坪量部４４との間の最短距離である。
【００４２】
吸収性コア４０のクッション性及び蒸れ抑制効果をより向上させる観点から、中間高坪量部４１の横方向Ｙの全長Ｌ７は、吸収性コア４０の横方向Ｙの全長Ｌ６に対して、好ましくは３０％以上１００％以下、より好ましくは５０％以上１００％以下である。全長Ｌ６とは吸収性コア４０の横方向Ｙにおける最も長い位置での距離を示し、全長Ｌ７とは中間高坪量部４１の横方向Ｙにおける最も長い位置での距離を意味する（図６参照）。
上記と同様の観点から、後方高坪量部４４の横方向Ｙの全長Ｌ８は、中間高坪量部４１の横方向Ｙの全長Ｌ７に対して、好ましくは１０％以上５０％以下、より好ましくは２０％以上４０％以下である。全長Ｌ８とは後方高坪量部４４の横方向Ｙにおける最も長い位置での距離を意味する（図６参照）。
【００４３】
ナプキン１では、吸収性コア４０の中間高坪量部４１に中間溝部４１ｄｘ，４１ｄｙ、後方高坪量部４４に後方溝部４４ｄｘ，４４ｄｙ、高坪量部４１，４４以外に溝部４３Ｘ，４３Ｙが設けられている。これらの溝部の溝幅は、それぞれ異なっていても良いし、全て同じであっても良いが、溝部４１ｄ，４４ｄ，４３の溝幅は、吸収性コア４０のフィット性及び蒸れ抑制効果をより向上させる観点から、好ましくは０．１ｍｍ以上５．０ｍｍ以下、より好ましくは０．５ｍｍ以上３．０ｍｍ以下である。尚、溝部４１ｄ，４４ｄ，４３の溝幅及び後述する厚みは、溝部４１ｄ，４４ｄ，４３の延びる方向に直交する方向に切断し、切端面の写真から計測する。また、ナプキン１では、吸収性コア４０における溝部４１ｄ，４４ｄ，４３での厚みは、上記と同様の観点から、好ましくは０．０８ｍｍ以上７．０ｍｍ以下、より好ましくは、０．１５ｍｍ以上３．５ｍｍ以下である。
中間溝部４１ｄｘ，４１ｄｙ、及び後方溝部４４ｄｘ，４４ｄｙは、高坪量部４１，４４以外の坪量より低いことが好ましい。ここで、高坪量部以外の坪量とは、溝部４３を有する場合には、溝部４３を除いた部分の坪量を意味する。これらの溝部４１ｄ，４４ｄ，４３の坪量は、それぞれ異なっていても良いし、全て同じであっても良いが、溝部４１ｄ，４４ｄ，４３の坪量は、吸収性コア４０のフィット性及び蒸れ抑制効果をより向上させる観点から、好ましくは１０ｇ／ｍ2以上３５０ｇ／ｍ2以下、より好ましくは２０ｇ／ｍ2以上２５０ｇ／ｍ2以下である。
尚、溝部４１ｄ，４４ｄ，４３の坪量は、上述した吸収性コア４０の各部の厚みの測定方法で説明したように切り出した溝部４３の部分のサンプルの質量を、そのサンプルの非肌対向面側の面の面積で除して求める。
【００４４】
ナプキン１において、第一領域４０Ｆ及び第三領域４０Ｒに溝部４３及び小吸収部４６をそれぞれ有し、第二領域４０Ｍに中間高坪量部４１と、第三領域４０Ｒに後方高坪量部４４とを有する吸収性コア４０は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４５】
上述したナプキン１の吸収性コア４０は、図７（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４６】
また、図７（ａ）に示すように、集積用凹部５５の底面５６の一部には、中間高坪量部４１及び後方高坪量部４４を形成するための２つの凹部５６ｂ，５６ｃが形成されている。また、凹部５６ｂの底部には、中間高坪量部４１の中央中間高坪量部４１Ｃを形成する部分と、側方中間高坪量部４１Ｓを形成する部分とで深さを異ならせてあり、また、中間高坪量部４１に溝部４１ｄを形成するための難通気性部材５７が配置されている。また、凹部５６ｃの底部には、後方高坪量部４４を形成する部分と、該後方高坪量部４４に溝部４４ｄを形成するための難通気性部材５７が配置されている。集積用凹部５５の底面５６の凹部５６ｂ，５６ｃ以外の部分には、溝部４３Ｘ，４３Ｙを形成するための難通気性部材５８が形成されている。難通気性部材５７，５８は、集積用凹部５５の底面から突出するように固定されており、非通気性部材であっても良く、例えば金属やプラスチック、セラミック等からなる。
【００４７】
積繊ドラムを備えた公知の積繊装置と同様に、集積用凹部５５の底面から吸引しつつ、ダクト内に、パルプ繊維等のコア材料を供給することによって、図７（ｂ）に示すように、コア材料が集積用凹部５５内に所定形状に堆積する。その堆積物４００を、集積用凹部５５から離型することで、吸収性コア４０が得られる。吸収性コア４０は、コアラップシートで被覆する前又は被覆した後、一対のロール間に通すこと等により加圧し適度に圧縮させる。これにより、凹部５６ｂにおける、難通気性部材上に堆積したコア材料からなる部分が、坪量及び密度が相対的に小さい溝部４１ｄとなり、各凹部５６ｂにおける難通気性部材を有しない底面上に堆積した部分が、坪量及び密度が相対的に大きい中間小吸収部４１ｋとなる。同様に、凹部５６ｂ，５６ｃ以外の部分においては、難通気性部材５８上に堆積したコア材料からなる部分が、坪量及び密度が相対的に小さい溝部４３Ｘ，４３Ｙとなり、難通気性部材５８を有しない底面上に堆積した部分が、坪量及び密度が相対的に大きい小吸収部４６となる。吸水性ポリマーを含む吸収性コアを製造する場合、ダクトの途中に吸水性ポリマーの導入部を設けることが好ましい。
【００４８】
本実施形態の肌側シート２は、図８に示すように、肌対向面側に突出した高凸部２ｔ１が複数横方向に並んだ高凸部列２１Ｌと、高凸部２ｔ１よりも高さの低い低凸部２ｔ２が複数横方向に並んだ低凸部列２２Ｌとが、縦方向に交互に配置された高低凸部列領域４７を有している。詳述すると、中間高坪量部４１が配される中間区域Ｂと、後方高坪量部４４が配される後方区域Ｃにおいて、肌側シート２の肌対向面側に突出する高凸部２ｔ１が横方向Ｙに沿って複数配された高凸部列２１Ｌを形成しており、低凸部２ｔ２が横方向Ｙに沿って複数配された低凸部列２２Ｌを形成している。そして、図８に示すように、高凸部列２１Ｌ及び低凸部列２２Ｌが縦方向Ｘに交互に配されている。本実施形態のナプキン１においては、肌側シート２の全面に高凸部列２１Ｌと低凸部列２２Ｌが存在しており、吸収性コア４０の全域と肌側シート２の高凸部列２１Ｌ及び低凸部列２２Ｌが平面視重なっている。一の高凸部列２１Ｌと、該一の高凸部列２１Ｌに隣接する一の低凸部列２２Ｌとの関係は、該一の高凸部列２１Ｌを構成する横方向Ｙに隣り合う高凸部２ｔ１，２ｔ１どうしの中間位置に、該一の低凸部列２２Ｌを構成する１個の低凸部２ｔ２が配されるようになっている。
このように、肌側シート２が、肌対向面側に突出した凸部を複数有していることにより、着用者の肌と該肌側シート２との間に隙間（空間）が生じるため、中間高坪量部４１又は後方高坪量部４４を非肌対向面側に突出させたことによる蒸れ抑制効果と相まって、ナプキン１における蒸れを一層効果的に抑制することができる。また、吸収性コア４０のクッション性によって、着用者の肌と肌側シート２との間の隙間（空間）が維持されやすいため、肌対向面側における通気性を一層向上させることができる。
斯かる観点から、肌側シートは、横方向Ｙに沿って形成された高凸部列２１Ｌと低凸部列２２Ｌが、縦方向Ｘに交互は配されていることが好ましく、該低凸部列２２Ｌが中間高坪量部４１及び後方高坪量部４４と重なるように配されていることが好ましい。
【００４９】
ナプキン１では、肌側シート２は、図８に示すように、複数のエンボス部２Ｅによって囲まれた大多角形領域ＢＴを複数有し、エンボス部２Ｅは大多角形領域ＢＴの頂部をなしている。そして、各大多角形領域ＢＴ内には相対的に高さの高い高凸部２ｔ１が形成されている。また、肌側シートは、複数の大多角形領域ＢＴの頂部をなすエンボス部２Ｅによって囲まれた、大多角形領域ＢＴよりも面積が小さい小多角形領域ＳＴを複数有し、エンボス部２Ｅは小多角形領域ＳＴの頂部もなしている。そして、各小多角形領域ＳＴ内には、高凸部２ｔ１よりも高さの低い低凸部２ｔ２が形成されている。尚、図中のＸ方向は、肌側シート２の製造時の機械方向（ＭＤ方向）及びナプキン１の縦方向Ｘと同じ方向である。また、図中のＹ方向は、肌側シートの製造時の機械方向（ＭＤ方向）に直交する方向（ＣＤ方向）及びナプキン１の横方向Ｙと同じ方向である。
【００５０】
詳述すると、ナプキン１の肌側シート２においては、大多角形領域ＢＴは、図８に示すように、頂部をなす６つのエンボス部２Ｅによって囲まれており、外形が六角形の形状となっている。一方、小多角形領域ＳＴは、図８に示すように、頂部をなす４つのエンボス部２Ｅによって囲まれており、外形が四角形の形状となっている。
【００５１】
肌側シート２では、図８に示すように、複数の大多角形領域ＢＴが横方向Ｙに沿って互いに隣接して配されて構成された大多角形領域列ＢＴＬが形成され、大多角形領域ＢＴ内の高凸部２ｔ１が横方向Ｙに沿って複数配されて高凸部列２１Ｌを構成されている。また、肌側シート２では、複数の小多角形領域ＳＴが横方向Ｙに沿って互いに隣接して配されて構成された小多角形領域列ＳＴＬが形成され、小多角形領域ＳＴ内の低凸部２ｔ２が横方向Ｙに沿って複数配されて低凸部列２２Ｌが構成されている。そして、大多角形領域列ＢＴＬと小多角形領域列ＳＴＬとが、横方向Ｙと直交する縦方向Ｘに交互に配されている。即ち、縦方向Ｘに沿って、高凸部列２１Ｌ、低凸部列２２Ｌ、高凸部列２１Ｌ・・・と交互に配置されている。そして、高凸部列２１Ｌの高凸部２ｔ１と低凸部列２２Ｌの低凸部２ｔ２とは、肌側シート２上で千鳥状に配置されている。言い換えると、高凸部２ｔ１と低凸部２ｔ２とは、横方向Ｙと縦方向Ｘそれぞれに対して斜めの方向に向かって交互に並んでいる。尚、高凸部２ｔ１及び低凸部２ｔ２に関しては、後で詳述する。
【００５２】
ナプキン１の肌側シート２においては、図８に示すように、エンボス部２Ｅは、縦方向Ｘに関して最も近い位置にある２つの高凸部２ｔ１，２ｔ１どうしの間で、且つ、横方向Ｙに関して最も近い位置にある２つの低凸部２ｔ２，２ｔ２どうしの間に中間エンボス部２Ｅ１を有している。肌側シート２においては、複数のエンボス部２Ｅは、中間エンボス部２Ｅ１と、中間エンボス部２Ｅ１を除く残りの他エンボス部２Ｅ２の２種からなる。ナプキン１では、中間エンボス部２Ｅ１はＸ字形状、各他エンボス部２Ｅ２は、図８に示すように、Ｙ字形状に形成されている。
【００５３】
各エンボス部２Ｅ（中間エンボス部２Ｅ１及び他エンボス部２Ｅ２）は、肌側シート２における液の引き込み性および拡散性の向上、並びに良好な肌触りの観点から、１個のエンボス部２Ｅ（中間エンボス部２Ｅ１及び他エンボス部２Ｅ２の平均）の面積が、１ｍｍ2以上１５ｍｍ2以下であることが好ましく、１．５ｍｍ2以上１２ｍｍ2以下であることが更に好ましい。なお、本明細書において、「１個のエンボス部」とは、外形的に１つと見做せるエンボス形状のことをいい、該エンボス部が複数のドットや破線で構成されていても「１個のエンボス部」という。
【００５４】
エンボス部２Ｅ（中間エンボス部２Ｅ１及び他エンボス部２Ｅ２）においては、肌側シート２の構成繊維が圧密化されている。肌側シート全面積に対するエンボス部２Ｅの面積の比率、即ちエンボス化率は５％以上３０％以下であることが好ましく、特に、７％以上２０％以下であることが体液引き込み性と風合いの観点から好ましい。肌側シート２におけるエンボスパターンによれば、このような低いエンボス化率としても、着用者の肌との接触面積を低くすることができる。
【００５５】
以上のように形成された肌側シート２では、図８に示すように、六角形の大多角形領域ＢＴ内に形成される高凸部２ｔ１は、平面形状が楕円の凸部であり、四角形の各小多角形領域ＳＴ内に形成される低凸部２ｔ２は、平面形状が円形の凸部となっている。
【００５６】
高凸部２ｔ１の厚み方向（Ｚ方向）の頂点における高さｈｂ（図９参照）は、着用者の肌と肌側シート２との間の隙間（空間）を形成し、更には肌側シート２における液の引き込み性の向上、並びに良好な肌触りの観点から、１．０ｍｍ以上７．０ｍｍ以下であることが好ましく、１．５ｍｍ以上５．０ｍｍ以下であることが更に好ましい。また、高凸部２ｔ１の底面からの隆起角度θ３（図１０参照）は、多量の経血時においても、肌に触れる部分に経血を残し難くして蒸れ抑制効果を向上させる観点から、７０°以上９０°以下であることが好ましく、７５°以上８５°以下であることが更に好ましい。
【００５７】
低凸部２ｔ２の厚み方向（Ｚ方向）の頂点における高さｈｓ（図１１参照）は、着用者の肌と肌側シート２との間の隙間（空間）を形成し、更には肌側シート２における液の引き込み性の向上、並びに良好な肌触りの観点から、０．４ｍｍ以上４．５ｍｍ以下であることが好ましく、０．８ｍｍ以上２．５ｍｍ以下であることが更に好ましい。
また、低凸部２ｔ２の底面からの隆起角度θ４（図１１参照）は、多量の経血時においても、肌に触れる部分に経血を残し難くして蒸れ抑制効果を向上させる観点から、２５°以上７０°以下であることが好ましく、３０°以上６５°以下であることが更に好ましい。隆起角度θ４は、上記高さｈｓを測定する際に同時に測定する。
【００５８】
ナプキン１の肌側シート２は、図９ないし図１１に示すように、肌対向面側に位置する第１層２ｕと吸収性コア４０側に位置する第２層２ｄとが積層されて形成されている。ナプキン１では、肌側シート２は、図９ないし図１１に示すように、肌対向面側に非熱収縮性繊維を含む第１層としての非熱収縮繊維層２ｕと、非肌対向面側に熱収縮した熱収縮性繊維を含む第２層としての熱収縮繊維層２ｄとからなっている。肌側シート２の熱収縮繊維層２ｄと非熱収縮繊維層２ｕとは、複数のエンボス部２Ｅにより、間欠的に接合されている。具体的には、肌側シート２は、熱収縮繊維層２ｄと非熱収縮繊維層２ｕとが、規則的に配された複数のエンボス部２Ｅにより部分的に接合されて貼り合わされており、非肌対向面側の熱収縮繊維層２ｄの熱収縮性繊維が熱収縮されて形成されている。肌側シート２には、図９ないし図１１に示すように、非熱収縮繊維層２ｕの肌対向面側からエンボスしたエンボス部２Ｅにより凹陥した複数の凹部と、エンボスされていない非エンボス部に複数の凸部２ｔが形成されている。そして、凸部２ｔが、複数の高凸部２ｔ１と複数の低凸部２ｔ２とを有している。高凸部２ｔ１と低凸部２ｔ２とは、第１層２ｕの非熱収縮繊維層２ｕで構成されており、非熱収縮繊維層２ｕを構成する同一の繊維で満たされている。
【００５９】
肌側シート２においては、低凸部２ｔ２の繊維密度が高凸部２ｔ１の繊維密度よりも高くなっている。また、第２層２ｄの熱収縮繊維層２ｄを構成する繊維の繊維密度が、低凸部２ｔ２を構成する第１層２ｕの非熱収縮繊維層２ｕの繊維の繊維密度よりも高くなっている。好適に、立体ドーム構造の高凸部２ｔ１は、その繊維密度が、立体ドーム構造の低凸部２ｔ２の繊維密度よりも低くなっており、特にそのＺ方向の頂点（高さｈｂの基準点）において、肌側シート２の中で最も低くなっている。立体ドーム構造の低凸部２ｔ２は、その繊維密度が、そのＺ方向の頂点（高さｈｓの基準点）において、低凸部２ｔ２の中で最も低くなっている。
【００６０】
低凸部２ｔ２のＺ方向の頂点（高さｈｓの基準点）における繊維密度ｄｓに対する、高凸部２ｔ１のＺ方向の頂点（高さｈｂの基準点）における繊維密度ｄｂの比率（ｄｂ／ｄｓ）は、排泄された体液の引き込み性を強化する観点から、１．２倍以上３．０倍以下であることが好ましく、１．５倍以上２．５倍以下であることが更に好ましい。肌側シート２の繊維密度の比率は、特開２０１５−１８６５４３号公報の段落〔００４２〕乃至〔００４６〕に記載の方法によって測定することができる。
【００６１】
肌側シート２の形成材料については、特開２０１５−１８６５４３号公報の段落〔００４７〕乃至〔００５３〕に記載を援用できる。
【００６２】
肌側シート２の坪量は、２０ｇ／ｍ2以上１００ｇ／ｍ2以下であることが好ましく、３５ｇ／ｍ2以上８０ｇ／ｍ2以下であることが更に好ましい。
肌側シート２と着用者の肌との接触面積は４５％以下、特に４２％以下であることが上述の理由から好ましい、また下限値としては２５％以上、特に３０％以上が好ましい。
【００６３】
また、肌側シート２は、図９ないし図１１に示すように、非熱収縮繊維層２ｕを肌対向面側に配し、熱収縮繊維層２ｄを非肌対向面側に配して形成されている。そのため、収縮によって繊維密度が高まった熱収縮繊維層２ｄへ向かって、排泄された体液が肌対向面側から非肌対向面側に毛管力によって引き込まれてより速やかに移行し、ムレ抑制効果をより向上させることができる。
【００６４】
上述した本実施形態のナプキン１の各構成部材の形成材料については、当該技術分野で公知のものを使用することができる。肌側シート２は、凸部が複数配された凸部列の替わりに、凸部が縦方向Ｘもしくは横方向Ｙに連続しており、横方向Ｙもしくは縦方向Ｘに交互に配された構造であっても良い。非肌側シート３は、難透液性又は、不透過性を有することが好ましく、坪量が１０〜５０ｇ／ｍ2であり、厚さが、８〜２００μｍであることが好ましい。吸収性コア４０のコア材料は、パルプ繊維や吸水性ポリマーを使用することができる。また、吸収性コア４０には、消臭剤や抗菌剤等を必要に応じて配合しても良い。吸収性コア４０を被覆するコアラップシート（不図示）を使用する場合、ティッシュペーパー、透水性の不織布等が使用できる。サイドシート５としては、液不透過性又は撥水性の樹脂フィルム、樹脂フィルムと不織布との積層体等を用いることができる。サイドシート５と肌側シート２とを接合する接合部６は熱シール加工により常法に従って形成することができる。
【００６５】
以上、本発明をその好ましい実施形態に基づき説明したが、本発明の吸収性物品は本実施形態のナプキン１に何ら制限されるものではなく、適宜変更可能である。
例えば、本実施形態における吸収性コア４０は、中間高坪量部４１として、中央中間高坪量部４１Ｃと、該中央中間高坪量部４１Ｃの縦方向Ｘに沿う両側縁それぞれから横方向Ｙ外方に延出して吸収性コア４０の縦方向Ｘに沿う両側縁にまで及ぶ側方中間高坪量部４１Ｓ，４１Ｓとを有しているが、これに代えて、中央中間高坪量部４１Ｃのみを有していても良い。即ち、中間高坪量部４１は、吸収性コア４０の縦方向Ｘに沿う両側縁にまで及ばなくても良い。
【００６６】
また、ナプキン１の吸収性コア４０は、その全体が一体成形されているが、これに代えて、第一領域４０Ｆから第三領域４０Ｒに亘って同じ高さにコア材料で形成しておき、次に、別のコア材料で形成されたものを配置して中間高坪量部４１又は後方高坪量部４４を形成してもよい。
【符号の説明】
【００６７】
１  生理用ナプキン（吸収性物品）
Ａ  前方区域
Ｂ  中間区域
Ｃ  後方区域
２  肌側シート
２ｔ  凸部
２ｔ１  高凸部
２１Ｌ  高凸部列
２ｔ２  低凸部
２２Ｌ  低凸部列
２ｕ  第１層（非熱収縮繊維層）
２ｄ  第２層（熱収縮繊維層）
２Ｅ  エンボス部
３  非肌側シート
４  吸収体
４０  吸収性コア
４０Ｆ  吸収性コアの第一領域
４０Ｍ  吸収性コアの第二領域
４０Ｒ  吸収性コアの第三領域
４１  中間高坪量部
４１Ｃ    中央中間高坪量部
４１Ｓ    側方中間高坪量部
４１ｄ    中間溝部
４１ｄｘ  縦中間溝部
４１ｄｙ  横中間溝部
４１ｋ    中間小吸収部
４４  後方高坪量部
４４ｄ    後方溝部
４４ｄｘ  縦後方溝部
４４ｄｙ  横後方溝部
４４ｋ    後方小吸収部
４５  高坪量部間隔領域
４６  小吸収部
４７  高低凸部列領域
５  サイドシート
６  接合部
７  線状圧搾溝
【図１】
2019024947.tif 000003
【図２】
2019024947.tif 000004
【図３】
2019024947.tif 000005
【図４】
2019024947.tif 000006
【図５】
2019024947.tif 000007
【図６】
2019024947.tif 000008
【図７】
2019024947.tif 000009
【図８】
2019024947.tif 000010
【図９】
2019024947.tif 000011
【図１０】
2019024947.tif 000012
【図１１】
2019024947.tif 000013